(57)【要約】【課題】吸収コアの外面側表面及び左右の縁部からの排泄液の漏れを効果的に抑制できる吸収コア及び使い捨て吸収性物品を提供する。【解決手段】吸収コア１３は、集合された繊維からなる繊維集合体２１と、繊維集合体２１に混入又は散布された吸収性樹脂粉末と、繊維集合体２１を包み込む包装材としての第１及び第２シート体２２，２３とを備えている。第２シート体２３は、第１シート体２２よりも高い透液性を有し、繊維集合体２１の肌面側表面２１ａにおける少なくとも中央部を覆っている。第１シート体２２は、撥水性不織布からなり、繊維集合体２１の外面側表面２１ｄ及び左右両側の縁部２１ｂ，２１ｃを覆っている。【選択図】図２
2010178915.tif 000002
【特許請求の範囲】
【請求項１】
着用者の股部に着用される使い捨て吸収性物品に備えられる吸収コアであって、
集合された繊維を少なくとも備えて構成された繊維集合体と、
撥水性不織布からなり、前記繊維集合体の外面側に面する外面側表面を覆うとともに、左右両側の縁部を覆う第１シート体と、
を備えることを特徴とする吸収コア。
【請求項２】
請求項１に記載の吸収コアにおいて、
前記第１シート体よりも高い透液性を有し、前記繊維集合体の肌面側に面する肌面側表面における少なくとも中央部を覆う第２シート体をさらに備えることを特徴とする吸収コア。
【請求項３】
請求項２に記載の吸収コアにおいて、
前記第２シート体は、ティッシュペーパーであることを特徴とする吸収コア。
【請求項４】
請求項１又は請求項２に記載の吸収コアにおいて、
前記第２シート体は、親水性不織布であることを特徴とする吸収コア。
【請求項５】
着用者の股部に着用される使い捨て吸収性物品であって、
請求項１ないし請求項４のいずれかに記載された前記吸収コアである第１吸収コアと、
前記第１吸収コアの前記外面側に配置され、着用者が排泄した排泄液を吸収する第２吸収コアと、
少なくとも一部の部分が透液性を有し、前記第１吸収コアの前記肌面側に配置された内装材と、
不透液性を有し、前記第２吸収コアの前記外面側に配置された外装材と、
を備えることを特徴とする使い捨て吸収性物品。
【請求項６】
請求項５に記載の使い捨て吸収性物品において、
前記第１吸収コアの前記第１シート体は、撥水性を有するエアスルー不織布であることを特徴とする使い捨て吸収性物品。
【請求項７】
請求項５又は請求項６に記載の使い捨て吸収性物品において、
前記第２吸収コアは、集合された繊維を少なくとも備えて構成された繊維集合体を備え、
前記第１吸収コア及び前記第２吸収コアの前記繊維集合体は、吸収性樹脂粉末を含有しており、
前記第１吸収コアの前記繊維集合体における前記吸収性樹脂粉末に対する前記繊維の比率は、前記第２吸収コアの前記繊維集合体における前記吸収性樹脂粉末に対する前記繊維の比率よりも高いことを特徴とする使い捨て吸収性物品。
【請求項８】
着用者の股部に着用される使い捨て吸収性物品であって、
請求項１ないし請求項４のいずれかに記載された前記吸収コアと、
少なくとも一部の部分が透液性を有し、前記吸収コアの前記肌面側に配置された内装材と、
不透液性を有し、前記吸収コアの前記外面側に配置された外装材と、
を備えることを特徴とする使い捨て吸収性物品。
【発明の詳細な説明】
【技術分野】
【０００１】
本発明は、着用者の股部に着用される使い捨て吸収性物品に備えられる吸収コア及び使い捨て吸収性物品に関する。
【背景技術】
【０００２】
この種の従来の吸収コアは、集合された繊維等からなる繊維集合体をティッシュペーパーで包んで構成されている。ティッシュペーパーは透液性に優れているため、尿等の排泄液がティッシュペーパーを介して吸収コア内に迅速に取り込まれるという利点がある。しかし、従来の吸収コアでは、吸収コアの肌面側表面だけでなく吸収コアの外面側表面及び左右両側の縁部についても、包装材にティッシュペーパーが用いられるため、吸収コア内に取り込まれた排泄液が吸収コアの外面側表面及び左右両側の縁部のティッシュペーパーを介して外部に漏れやすいという問題がある。
【０００３】
例えば、特許文献１に記載の使い捨て吸収性物品のような構成では、吸収コアが、透液性のトップシート及び不透液性の左右のサイドシートを有する内装材と、バックシート等を有する不透液性の外装材との間に配置されている。このような構成では、サイドシートに防水機能を有する撥水性不織布が用いられる場合が多いため、撥水性不織布の防水機能は完全なものではなく、圧力が加わった場合又は排泄液に長時間晒された場合等には、排泄液が撥水性不織布を透過する場合がある。このため、吸収コアの外面側表面及び左右両側の縁部のティッシュペーパーを介して吸収コアの外部に漏れた排泄液が、サイドシートを介して使い捨て吸収性物品の外部に漏れるおそれがある。
【先行技術文献】
【特許文献】
【０００４】
【特許文献１】特開２００８−２５９７６６号公報
【発明の概要】
【発明が解決しようとする課題】
【０００５】
そこで、本発明の解決すべき課題は、吸収コアの外面側表面及び左右の縁部からの排泄液の漏れを効果的に抑制できる吸収コア及び使い捨て吸収性物品を提供することである。
【課題を解決するための手段】
【０００６】
上記の課題を解決するため、請求項１の発明では、着用者の股部に着用される使い捨て吸収性物品に備えられる吸収コアであって、集合された繊維を少なくとも備えて構成された繊維集合体と、撥水性不織布からなり、前記繊維集合体の外面側に面する外面側表面を覆うとともに、左右両側の縁部を覆う第１シート体とを備える。
【０００７】
また、請求項２の発明では、請求項１の発明に係る吸収コアにおいて、前記第１シート体よりも高い透液性を有し、前記繊維集合体の肌面側に面する肌面側表面における少なくとも中央部を覆う第２シート体をさらに備える。
【０００８】
また、請求項３の発明では、請求項２の発明に係る吸収コアにおいて、前記第２シート体は、ティッシュペーパーである。
【０００９】
また、請求項４の発明では、請求項１又は請求項２の発明に係る吸収コアにおいて、前記第２シート体は、親水性不織布である。
【００１０】
また、請求項５の発明では、着用者の股部に着用される使い捨て吸収性物品であって、請求項１ないし請求項４のいずれかに記載された前記吸収コアである第１吸収コアと、前記第１吸収コアの前記外面側に配置され、着用者が排泄した排泄液を吸収する第２吸収コアと、少なくとも一部の部分が透液性を有し、前記第１吸収コアの前記肌面側に配置された内装材と、不透液性を有し、前記第２吸収コアの前記外面側に配置された外装材とを備える。
【００１１】
また、請求項６の発明では、請求項５の発明に係る使い捨て吸収性物品において、前記第１吸収コアの前記第１シート体は、撥水性を有するエアスルー不織布である。
【００１２】
また、請求項７の発明では、請求項５又は請求項６の発明に係る使い捨て吸収性物品において、前記第２吸収コアは、集合された繊維を少なくとも備えて構成された繊維集合体を備え、前記第１吸収コア及び前記第２吸収コアの前記繊維集合体は、吸収性樹脂粉末を含有しており、前記第１吸収コアの前記繊維集合体における前記吸収性樹脂粉末に対する前記繊維の比率は、前記第２吸収コアの前記繊維集合体における前記吸収性樹脂粉末に対する前記繊維の比率よりも高い。
【００１３】
また、請求項８の発明では、着用者の股部に着用される使い捨て吸収性物品であって、請求項１ないし請求項４のいずれかに記載された前記吸収コアと、少なくとも一部の部分が透液性を有し、前記吸収コアの前記肌面側に配置された内装材と、不透液性を有し、前記吸収コアの前記外面側に配置された外装材とを備える。
【発明の効果】
【００１４】
請求項１に記載の発明によれば、吸収コアが、集合された繊維を少なくとも備えて構成された繊維集合体と、撥水性不織布からなり、繊維集合体の外面側に面する外面側表面を覆うとともに、左右両側の縁部を覆う第１シート体とを備えて構成されている。このため、撥水性不織布からなる第１シート体によって、吸収コアの外面側表面及び左右の縁部からの排泄液の漏れを効果的に抑制できる。その結果、本発明に係る吸収コアが使い捨て吸収性物品に備えられた場合に、吸収コアの外面側表面及び左右の縁部から漏れた排泄液が使い捨て吸収性物品の外部に漏れる等の不都合を効果的に抑制できる。
【００１５】
請求項２に記載の発明によれば、繊維集合体の肌面側に面する肌面側表面における少なくとも中央部が透液性を有する第２シート体によって覆われているため、繊維集合体の肌面側における少なくとも中央部を第２シート体によって保護できる。
【００１６】
また、繊維集合体の肌面側表面における少なくとも中央部を覆う第２シート体が、第１シート体よりも高い透液性を有しているため、着用者が排泄した尿等の排泄液の吸収コア内への受け入れが第２シート体によって阻害されることなく迅速に行われる。
【００１７】
請求項３に記載の発明によれば、ティッシュペーパーは透液性に優れるため、第２シート体にティッシュペーパーを用いることにより、着用者が排泄した尿等の排泄液を、第２シート体を介して迅速に吸収コア内に取り込んで繊維集合体に吸収させることができる。
【００１８】
また、ティッシュペーパーは材料コストが安価であるため、吸収コアの製造コストを抑制できる。
【００１９】
請求項４に記載の発明によれば、親水性不織布は破れにくく強度が高いため、第２シート体に親水性不織布を用いることにより、第２シート体の破損等を防止できる。
【００２０】
請求項５に記載の発明によれば、肌面側に配置された第１吸収コアの繊維集合体の包装材として、撥水性不織布からなる第１シート体が用いられ、その第１シート体が繊維集合体の外面側表面及び左右両側の縁部を覆っている。このため、着用者が排泄した尿等の排泄液が第１吸収コア内に到達した際、排泄液が第１吸収コアの第１シート体を直ぐには透過せずに第１シート体に浸透しながら、第１シート体の内側で第１吸収コアの広い範囲（例えば、ほぼ全体）に拡散されて吸収される。そして、このように排泄液が第１吸収コアの広い範囲に拡散された後、第１シート体を透過して第２吸収コアに移行し、第２吸収コアの広い範囲（例えば、ほぼ全体）でほぼ同時に吸収される。このため、第１及び第２吸収コアの広い範囲（例えば、ほぼ全体）を有効に利用して、排泄液を効率よく吸収することができる。
【００２１】
請求項６に記載の発明によれば、第１吸収コアの第１シート体に撥水性を有するエアスルー不織布が用いられているため、排泄液が第１吸収コアから第２吸収コアに移行する際に、第１吸収コアの第１シート体によって、排泄液を適度に拡散させながら透過させることができ、排泄液の第１吸収コアから第２吸収コアへの移行が妨げられることもない。
【００２２】
請求項７に記載の発明によれば、第１吸収コアの繊維集合体における吸収性樹脂粉末に対する繊維の比率は、第２吸収コアの繊維集合体における吸収性樹脂粉末に対する繊維の比率よりも高い。それ故、肌面側に配置された第１吸収コアでは、外面側に配置された第２吸収コアに比して、排泄液の吸収速度が速く、かつ排泄液の保持能力が弱い。このため、排泄液を第１吸収コアの広い範囲（例えば、ほぼ全体）に迅速に拡散させて吸収させつつ、第１吸収コアから第２吸収コアへ広い範囲でほぼ同時に移行させることができる。その結果、第１及び第２吸収コアの広い範囲（例えば、ほぼ全体）をさらに有効に利用して、排泄液を効率よく吸収することができる。
【００２３】
請求項８に記載の発明によれば、尿等の排泄液が吸収コアの外面側表面及び左右の縁部から漏れるのが効果的に抑制されているため、排泄液の漏れ防止機能に優れた使い捨て吸収性物品を提供できる。
【図面の簡単な説明】
【００２４】
【図１】本発明の第１実施形態に係る使い捨て吸収性物品としての使い捨ておむつの平面図である。
【図２】図１の使い捨ておむつのＡ−Ａ線に沿った断面の構成を模式的に示す図である。
【図３】図１の使い捨ておむつに備えられる吸収コアの平面図である。
【図４】図３の吸収コアの変形例を示す図である。
【図５】図３の吸収コアの他の変形例を示す図である。
【図６】本発明の第２実施形態に係る使い捨て吸収性物品としての使い捨ておむつの横方向に沿った断面の構成を模式的に示す断面図である。
【発明を実施するための形態】
【００２５】
［第１実施形態］
図１は本発明の第１実施形態に係る使い捨て吸収性物品としての使い捨ておむつ（以下、単に「おむつ」という）の平面図であり、図２は図１のおむつのＡ−Ａ線に沿った断面の構成を模式的に示す図である。なお、図１、図２及び後述する他の図において、横方向Ｘは着用者の左右方向に対応しており、縦方向Ｙは着用者の前後又は上下方向に対応している。また、図１に示すおむつ１の構成において、図１の図面上における上側がおむつ１の前側に対応している。
【００２６】
本実施形態に係るおむつ１は、テープ型又はパンツ型のおむつ等の股部の内側に敷き込まれて用いられるものである。このおむつ１をテープ型又はパンツ型のおむつ等の股部に敷き込むことにより、おむつの吸液容量が補強され、多量の尿が排尿された場合又は多量の水分を含んだ軟便が排便された場合に対応できるようになる。また、通常又は比較的少量の排尿又は排便がされた場合には、テープ型又はパンツ型のおむつの内側に敷き込んでいるおむつ１のみを交換すれば、外側のおむつはそのまま継続して使用できるという利点もある。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００２７】
このおむつ１は、図１及び図２に示すように、少なくとも一部が透液性を有し、肌面側に配置される内装材１１と、不透液性を有し、外面側に配置される外装材１２と、内装材１１と外装材１２との間に配置され、着用者が排泄した排泄液（例えば、尿又は便に含まれる水分等）を吸収する吸収コア１３とを備えている。
【００２８】
内装材１１は、表面シートとしてのトップシート１６、及び左右のサイドシート１７等を備えている。トップシート１６は、おむつ１の肌面側における横方向Ｘの中央部に、縦方向Ｙに沿って配置されている。左右のサイドシート１７は、トップシート１６の左右の縁部に肌面側から重なるように、縦方向Ｙに沿って配置されている。トップシート１６は、透液性の合成繊維製不織布又は織布で形成される。サイドシート１７は、撥水性不織布等により形成される。
【００２９】
また、サイドシート１７の横方向Ｘの内方側の端部には糸状の弾性部材１８が伸張された状態で付与されている。この弾性部材１８の収縮によってサイドシート１７の一部が肌面側に向かって立ち上がり、立体ギャザーとして機能する。この立体ギャザーにより排泄物の横漏れが防止される。なお、この弾性部材１８を含む立体ギャザーは省略してもよい。
【００３０】
外装材１２は、バックシート１９によって構成される。バックシート１９は、不透液性の素材が好ましく、撥水性を有する合成繊維製不織布、ポリエチレン等の合成樹脂製フィルム（不透液性でかつ通気性を有するフィルムが好ましい）、又はそれらが貼り合わされてなる複合シートが用いられる。
【００３１】
吸収コア１３は、図２及び図３に示すように、集合された繊維を少なくとも備えて構成された繊維集合体２１と、繊維集合体２１を包み込む包装材としての第１及び第２シート体２２，２３とを備えている。好ましくは、繊維集合体２１には、繊維集合体２１に混入又は散布された吸収性樹脂粉末が含まれる。また、吸収コア１３の構成要素のうち、吸収性樹脂粉末及び第２シート体２３については省略してもよい。
【００３２】
繊維集合体２１に用いられる繊維としては、主に解繊パルプ繊維又はセルロース繊維が用いられ、必要に応じて熱融着性繊維等を混合してもよい。
【００３３】
第２シート体２３は、後述する第１シート体２２よりも高い透液性を有し、繊維集合体２１の肌面側を向いた肌面側表面２１ａにおける少なくとも中央部を覆っている。本実施形態では、第２シート体２３の縦方向Ｙの寸法は繊維集合体２１の縦方向Ｙの寸法とほぼ等しく、第２シート体２３の横方向Ｘの寸法は繊維集合体２１の横方向Ｘの寸法よりもやや小さい。このため、第２シート体２３が繊維集合体２１の肌面側表面２１ａにおけるほぼ全体を覆っている。なお、変形例として、第２シート体２３の横方向Ｘの寸法を図２に示す構成よりもさらに小さくしてもよい。
【００３４】
第２シート体２３の素材としては、ティッシュペーパー又は親水性不織布が用いられる。親水性不織布としては、親水性を有する不織布材料により形成された不織布が用いられる場合と、撥水性を有する不織布材料により形成された不織布に対して親水性を持たせるための処理を施して得られた不織布が用いられる場合とがある。
【００３５】
第１シート体２２は、撥水性不織布からなり、繊維集合体２１の外面側を向いた外面側表面２１ｄ及び左右両側の縁部２１ｂ，２１ｃを覆っている。本実施形態では、第１シート体２２の左右の縁部２２ａ，２２ｂが繊維集合体２１の外面側から左右両側の縁部２１ｂ，２１ｃを経て肌面側に巻き上げられ、第２シート体２３の左右の縁部に肌面側から重ね合わされている。また本実施形態では、第２シート体２３の縦方向Ｙの寸法は繊維集合体２１の縦方向Ｙの寸法とほぼ等しい。このため、第１及び第２シート体２２，２３によって、繊維集合体２１の肌面側表面２１ａ、左右両側の縁部２１ｂ，２１ｃ及び外面側表面２１ｄの全体が覆われている。また本実施形態では、第１シート体２２の左右の縁部２２ａ，２２ｂと第２シート体２３との積極的な固定は行っていないが、第１シート体２２の左右の縁部２２ａ，２２ｂと第２シート体２３とを接着剤（例えば、ホットメルト接着剤）等の接合手段を用いて固定してもよい。
【００３６】
また、本実施形態では、繊維集合体２１の平面形状としては、図３に示すように略長方形型が採用されている。変形例として、繊維集合体２１の平面形状を図４に示すように砂時計型にしてもよい。この図４に示す構成では、繊維集合体２１の縦方向Ｙの略中央部（着用者の股下に対応する部分）に横方向Ｘの幅が狭くなった左右の括れ部２６ａ，２６ｂが形成される。
【００３７】
この場合、繊維集合体２１の括れ部２６ａ，２６ｂに対応する第１シート体２２（あるいは、第１シート体２２及び第２シート体２３）の部分２７ａ，２７ｂには繊維集合体２１が存在しないこととなるが、この部分２７ａ，２７ｂについては、図４に示すようにそのまま残しておいてもよいし、図５に示すように繊維集合体２１の括れ部２６ａ，２６ｂの外形に沿って切除してもよい。但し、部分２７ａ，２７ｂを切除した場合には、切除によって生じた第１シート体２２等の開口部を接着剤（例えば、ホットメルト接着剤）等の接合手段により接合して塞ぐのが好ましい。また、繊維集合体２１の平面形状の他の例としては、略楕円型等の種々の形状が採用可能である。
【００３８】
以上のように、本実施形態によれば、吸収コア１３の繊維集合体２１の外面側表面２１ｄ及び左右両側の縁部２１ｂ，２１ｃが撥水性不織布からなる第１シート体２２によって覆われているため、第１シート体２２によって、吸収コア１３の外面側表面及び左右の縁部からの排泄液の漏れを効果的に抑制できる。その結果、吸収コア１３の外面側表面及び左右の縁部から漏れた排泄液がおむつ１の外部に漏れる等の不都合を効果的に抑制できる。
【００３９】
また、吸収コア１３の繊維集合体２１の肌面側表面２１ａにおける少なくとも中央部が透液性を有する第２シート体２３によって覆われているため、繊維集合体２１の肌面側における少なくとも中央部を第２シート体２３によって保護できる。特に、本実施形態では、第１及び第２シート体２２，２３によって、繊維集合体２１の肌面側表面２１ａ、左右両側の縁部２１ｂ，２１ｃ及び外面側表面２１ｄの全体を覆っているため、繊維集合体２１を確実に保護できる。
【００４０】
また、繊維集合体２１の肌面側表面２１ａにおける少なくとも中央部を覆う第２シート体２３が、第１シート体２２よりも高い透液性を有しているため、着用者が排泄した尿等の排泄液の吸収コア２１内への受け入れが第２シート体２３によって阻害されることなく迅速に行われる。
【００４１】
また、第２シート体２３にティッシュペーパーを用いた場合には、ティッシュペーパーは透液性に優れるため、着用者が排泄した尿等の排泄液を、第２シート体２３を介して迅速に吸収コア内に取り込んで繊維集合体に吸収させることができる。さらに、ティッシュペーパーは材料コストが安価であるため、吸収コア１３及びおむつ１の製造コストを抑制できる。
【００４２】
また、第２シート体２３に親水性不織布を用いた場合には、親水性不織布は破れにくく強度が高いため、第２シート体２３の破損等を防止できる。
【００４３】
［第２実施形態］
図６は、本発明の第２実施形態に係る使い捨て吸収性物品としてのおむつの横方向に沿った断面の構成を模式的に示す断面図であり、断面の位置は図１に示す構成におけるＡ−Ａ線の位置とほぼ同一である。本実施形態に係るおむつ３１が上述の第１実施形態に係るおむつ１と実質的に異なる点は、吸収コア１３の外面側に吸収コア３２を追加した点と、それに関連する部分のみであり、互いに対応する部分には同一の参照符号を付して説明の重複を回避する。
【００４４】
本実施形態に係るおむつ３１では、図６に示すように、第１実施形態に係るおむつ１に用いられている吸収コア１３である第１吸収コア１３の外面側に、第２吸収コア３２が追加されている。この第２吸収コア３２は、集合された繊維を少なくとも備えて構成された繊維集合体３３と、透液性を有し、繊維集合体３３を包み込む包装材としてのシート体３４とを備えている。好ましくは、繊維集合体２１には、繊維集合体２１に混入又は散布された吸収性樹脂粉末が含まれる。なお、この吸収性樹脂粉末については省略してもよい。
【００４５】
第２吸収コア３２の繊維集合体３３に用いられる繊維は、第１吸収コア１３の繊維集合体２１に用いられる繊維とほぼ同様なものが用いられる。シート体３４には、例えばティッシュペーパーが用いられる。なお、第２吸収コア３２の包装材の構成として、第１吸収コア１３の第１及び第２シート体２２，２３による構成と同様な構成を採用してもよい。
【００４６】
第１吸収コア１３の繊維集合体２１の平面形状、及び第１及び第２シート体２２，２３からなる包装材の平面形状は、前述の如く、略長方形型、砂時計型、略楕円型等の種々の形状が採用可能である。また、第２吸収コア３２の繊維集合体３３の平面形状、及びシート体３４からなる包装材の平面形状についても、同様に略長方形型、砂時計型、略楕円型等の種々の形状が採用可能である。また、本実施形態では、第１及び第２吸収コア１３，３２の繊維集合体２１，３３は、その縦方向Ｙ及び横方向Ｘの寸法及び平面形状が同一のものを採用しているが、その縦方向Ｙ及び横方向Ｘの寸法及び平面形状のいずれか一方又は両方が互いに異なったものを採用してもよい。なお、繊維集合体２１，３３の縦方向Ｙ及び横方向Ｘの寸法及び平面形状のいずれか一方又は両方が互いに異なっている場合であっても、着用者の股下に対応するおむつ３１の股下部では、繊維集合体２１，３３の横方向Ｘの寸法をほぼ一致させるようにしてもよい。
【００４７】
このように、本実施形態に係るおむつ３１では、肌面側に配置された第１吸収コア１３の繊維集合体２１の包装材として、撥水性不織布からなる第１シート体２２が用いられ、その第１シート体２２が繊維集合体２１の外面側表面２１ｄ及び左右両側の縁部２１ｂ，２１ｃを覆っている。このため、着用者が排泄した尿等の排泄液が、図６の矢印Ｂ１で示すように第１吸収コア１３内に到達した際、排泄液が第１吸収コア１３の第１シート体２２を直ぐには透過せずに第１シート体２２に浸透しながら、矢印Ｂ２で示すように第１シート体２２の内側で第１吸収コア１３の繊維集合体２１中の広い範囲（例えば、ほぼ全体）に拡散されて吸収される。そして、このように排泄液が第１吸収コア１３の広い範囲に拡散された後、矢印Ｂ３で示すように第１シート体２２を透過して第２吸収コア３２に移行し、第２吸収コア３２の繊維集合体３３中広い範囲（例えば、ほぼ全体）でほぼ同時に吸収される。このため、第１及び第２吸収コア１３，３２の繊維集合体２１，３３の広い範囲（例えば、ほぼ全体）を有効に利用して、排泄液を効率よく吸収することができる。
【００４８】
また、本実施形態では、第１吸収コア１３の第１シート体２２に、撥水性を有するエアスルー不織布が用いられている。このため、排泄液が第１吸収コア１３から第２吸収コア３２に移行する際に、第１吸収コア１３の第１シート体２２によって、排泄液を適度に拡散させながら透過させることができ、排泄液の第１吸収コア１３から第２吸収コア３２への移行が妨げられることもない。変形例として、第１吸収コアの第１シート体２２の目付を低減することにより、第１シート体２２に適度な透液性を持たせるようにしてもよい。
【００４９】
また、本実施形態では、第１吸収コア１３の繊維集合体２１における吸収性樹脂粉末に対する繊維の比率が、第２吸収コア３２の繊維集合体３３における吸収性樹脂粉末に対する繊維の比率よりも高く設定されている。すなわち、第１吸収コア１３の繊維集合体２１の方が第２吸収コア３２の繊維集合体３３よりも、繊維集合体２１，３３に含まれる繊維の割合が大きくなっている。それ故、肌面側に配置された第１吸収コア１３では、外面側に配置された第２吸収コア３２に比して、排泄液の吸収速度が速く、かつ排泄液の保持能力が弱い。このため、排泄液を第１吸収コア１３の繊維集合体２１の広い範囲（例えば、ほぼ全体）に迅速に拡散させて吸収させつつ、第１吸収コア１３から第２吸収コア３２へ広い範囲でほぼ同時に移行させることができる。その結果、第１及び第２吸収コア１３，３２の繊維集合体２１，３３の広い範囲（例えば、ほぼ全体）をさらに有効に利用して、排泄液を効率よく吸収することができる。
【００５０】
なお、上述の第１及び第２実施形態では、本発明に係る技術をテープ型又はパンツ型のおむつ等の股部に敷き込まれて使用されるパット型のおむつに適用した例について示したが、本発明に係る技術をテープ型のおむつ又はパンツ型のおむつに適用してもよい。あるいは、本発明に係る技術を生理用ナプキンに適用してもよい。
【符号の説明】
【００５１】
１  使い捨ておむつ、１１  内装材、１２  外装材、１３  吸収コア（第１吸収コア）、１６  トップシート、１７  サイドシート、１８  弾性部材、１９  バックシート、２１  繊維集合体、２２  第１シート体、２３  第２シート体、３１  使い捨ておむつ、３２  第２吸収コア、３３  繊維集合体、３４  シート体。
【図１】
2010178915.tif 000003
【図２】
2010178915.tif 000004
【図３】
2010178915.tif 000005
【図４】
2010178915.tif 000006
【図５】
2010178915.tif 000007
【図６】
2010178915.tif 000008